(57)【要約】情報処理装置は、スピーキングを含むテストの受検者が発声した音声を入力するマイクと、テストのアプリケーションの実行中に、音声の音量を示すインジケータを表示するディスプレイと、テストのアプリケーションの実行中に、音量が所定値以上か否かにより、インジケータの表示形態を変更する実行手段と、を有する。
2015008502.tif 000002
【特許請求の範囲】
【請求項１】
スピーキングを含むテストの受検者が発声した音声を入力するマイクと、
前記テストのアプリケーションの実行中に、前記マイクから入力された音声の音量を示すインジケータを表示するディスプレイと、
前記アプリケーションの実行中に、前記音量が所定値以上か否かにより、前記インジケータの表示形態を変更する実行手段と、
を有する情報処理装置。
【請求項２】
前記インジケータは、前記音量に応じて伸縮する形状である場合、
前記実行手段は、
前記音量が前記所定値以上か否かにより前記形状の色を変更する、
請求項１記載の情報処理装置。
【請求項３】
前記実行手段は、
前記マイクにより入力された音声を検知すると、該音声の音量に基づく前記インジケータの制御処理を開始する、
請求項１又は２記載の情報処理装置。
【請求項４】
前記実行手段は、
前記音量が前記所定値未満となる場合、前記受検者に対して前記音量を大きくするよう促すための表示物を前記表示手段に表示させる、
請求項１乃至３いずれか一項に記載の情報処理装置。
【請求項５】
スピーキングを含むテストの受検者が発声した音声を入力する入力ステップと、
前記テストのアプリケーションの実行中に、に、前記音声の音量を示すインジケータを表示する表示ステップと、
前記アプリケーションの実行中に、前記音量が所定値以上か否かにより、前記インジケータの表示形態を変更する実行ステップと、
を有する情報処理方法。
【請求項６】
コンピュータに、
スピーキングを含むテストの受検者が発声した音声を入力する入力ステップと、
前記テストのアプリケーションの実行中に、前記音声の音量を示すインジケータを表示する表示ステップと、
前記アプリケーションの実行中に、前記音量が所定値以上か否かにより、前記インジケータの表示形態を変更する実行ステップと、
を実行させるプログラム。
【発明の詳細な説明】
【技術分野】
【０００１】
本発明は、情報処理装置、情報処理方法及びプログラムに関する。
【背景技術】
【０００２】
従来、外部検定試験などでは、試験機関が認定した場所に受検者が行き、その場所で受検者が試験（テスト）を受けていた。例えば、ＥＴＳ（Educational Testing Service）が実施するＴＯＥＦＬ（Test Of English as Foreign Language）（登録商標。非特許文献１参照）では、受検者は、自身が選択した試験センターに行き、その試験センターで試験を受けていた。また、受検者は、スピーキングテストの際、画面の問題を見て、解答となる音声をマイクに向かって発声していた。
【先行技術文献】
【非特許文献】
【０００３】
【非特許文献１】ＴＯＥＦＬ  Ｈｏｍｅ、[On Line]、[平成２５年７月１９日検索]、インターネット＜URL：http://www.ets.org/jp/toefl＞
【発明の概要】
【発明が解決しようとする課題】
【０００４】
しかしながら、受検者は、解答をマイクに向かって発声する際に、自分の音声の音量が採点に適した音量であるか否かを知ることができなかった。例えば、ＴＯＥＦＬ（登録商標）では、スピーキングテストの前にマイクテストの時間が与えられ、システム側で適切な音声が録音できるまで話続けることになっている。この方法では、実際のテスト中に、受検者がマイクテストの時よりも小さい声で話したり、マイクの位置がマイクテストの時と比べてずれたりすれば、テスト中の音声を適切な音量で録音することが担保されないことになる。また、採点側の観点からは、解答となる音声データの音量が小さい場合には採点が容易ではないという問題点があった。【０００５】
そこで、本発明は、入力された音声データの音量が、採点に適した音量であるか否かを受検者に認識させることができる情報処理装置、情報処理方法及びプログラムを提供することを目的とする。
【課題を解決するための手段】
【０００６】
本発明の一態様における情報処理装置は、スピーキングを含むテストの受検者が発声した音声を入力するマイクと、前記テストのアプリケーションの実行中に、前記音声の音量を示すインジケータを表示するディスプレイと、前記アプリケーションの実行中に、前記音量が所定値以上か否かにより、前記インジケータの表示形態を変更する実行手段と、を有する。これにより、入力された音声データの音量が、採点に適した音量であるか否かを受検者に認識させることができる。【０００７】
前記インジケータは、前記音量に応じて伸縮する形状である場合、前記実行手段は、前記音量が前記所定値以上か否かにより前記形状の色を変更してもよい。これにより、入力された音声データの音量が、採点に適した音量であるか否かを受検者に容易に認識させることができる。【０００８】
前記実行手段は、前記マイクにより入力された音声を検知すると、該音声の音量に基づく前記インジケータの制御処理を開始してもよい。これにより、音声データの音量をリアルタイムで受検者にフィードバックすることができる。【０００９】
前記実行手段は、前記音量が前記所定値未満となる場合、前記受検者に対して前記音量を大きくするよう促すための表示物を前記表示手段に表示させてもよい。これにより、受検者に対して、採点に適した音量で発声するように促すことができる。【００１０】
また、本発明の他の態様における情報処理方法は、スピーキングを含むテストの受検者が発声した音声を入力する入力ステップと、前記テストのアプリケーションの実行中に、前記音声の音量を示すインジケータを表示する表示ステップと、前記アプリケーションの実行中に、前記音量が所定値以上か否かにより、前記インジケータの表示形態を変更する実行ステップと、を有する。これにより、上述と同様に、入力された音声データの音量が、採点に適した音量であるか否かを受検者に認識させることができる。【００１１】
また、本発明の他の態様におけるプログラムは、コンピュータに、スピーキングを含むテストの受検者が発声した音声を入力する入力ステップと、前記テストのアプリケーションの実行中に、前記音声の音量を示すインジケータを表示する表示ステップと、前記アプリケーションの実行中に、前記音量が所定値以上か否かにより、前記インジケータの表示形態を変更する実行ステップと、を実行させる。これにより、上述と同様に、入力された音声データの音量が、採点に適した音量であるか否かを受検者に認識させることができる。
【発明の効果】
【００１２】
本発明によれば、入力された音声データの音量が、採点に適した音量であるか否かを受検者に認識させることができる。
【図面の簡単な説明】
【００１３】
【図１】第１実施形態におけるテスト支援システムの一例を示す概念図である。
【図２】第１実施形態におけるテスト支援システムの構成の一例を示すブロック図である。
【図３】タブレット端末のハードウェア構成の一例を示すブロック図である。
【図４】サーバのハードウェア構成の一例を示すブロック図である。
【図５】情報処理装置のハードウェア構成の一例を示すブロック図である。
【図６】タブレット端末の機能構成の一例を示すブロック図である。
【図７】テスト実行手段の機能構成の一例を示すブロック図である。
【図８】サーバの機能構成の一例を示すブロック図である。
【図９】情報処理装置の機能構成の一例を示すブロック図である。
【図１０】タブレット端末で記憶される識別情報及び解答データの一例を示す図である。
【図１１】サーバで記憶される識別情報及び解答データの一例を示す図である。
【図１２】タブレット端末の電源起動時の画面の一例を示す図である。
【図１３】学校コードの選択画面の一例を示す図である。
【図１４】スピーキングテストの開始画面の一例を示す図である。
【図１５】テストにおけるＰａｒｔＡの画面（その１）の一例を示す図である。
【図１６】テストにおけるＰａｒｔＡの画面（その２）の一例を示す図である。
【図１７】テストにおけるＰａｒｔＢの画面（その１）の一例を示す図である。
【図１８】テストにおけるＰａｒｔＢの画面（その２）の一例を示す図である。
【図１９】テストにおけるＰａｒｔＢの画面（その３）の一例を示す図である。
【図２０】第１実施形態におけるテスト支援システムの処理の一例を示すフローチャートである。
【図２１】音声データの入力処理の一例を示すフローチャートである。
【発明を実施するための形態】
【００１４】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１５】
［第１実施形態］
以下、本発明の第１実施形態における携帯型情報処理装置、情報処理方法及びプログラムを、図面を用いて説明する。なお、以下に説明するテストとしては、複数の受検者が同じ時刻に同じ拠点で受験するテストを例とし、例えば、スピーキングを含む英語検定試験などを想定する。また、携帯型情報処理装置は、例えばタブレット端末、携帯端末、又は携帯型のPC（Personal Computer）などであり、携帯型情報処理端末とも称す。
【００１６】
＜テスト支援システムの概要＞
図１は、第１実施形態におけるテスト支援システム１の一例を示す概念図である。図１に示すように、例えばテスト支援システム１では、学校１０に配布された携帯型情報処理端末１００を用いてテストが実施され、解答データが記憶された携帯型情報処理端末１００を企業２０が回収する。
【００１７】
また、テスト支援システム１では、回収された携帯型情報処理端末１００に記憶されたテストの解答データが、採点システム３０のサーバ２００に送信される。また、採点者４０は、採点システム３０のサーバ２００に記憶された解答データにアクセスし、ブラウザを用いて採点画面を情報処理装置３００に表示させる。採点者４０は、採点画面を用いて採点した採点データを採点システム３０のサーバ２００にアップロードする。これにより、採点システム３０のサーバ２００は、採点データを取得する。
【００１８】
なお、携帯型情報処理端末１００は、携帯型情報処理端末を１つずつ区別する場合には符号１００Ａ、１００Ｂなどを用い、携帯型情報処理端末をまとめて表現する場合には符号１００を用いる。また、採点者４０が用いる情報処理装置も、携帯型情報処理端末と同様の符号の用い方をする。
【００１９】
次に、テスト支援システム１の具体的な流れを説明する。以下、携帯型情報処理端末１００として、タブレット端末を例にして説明する。
【００２０】
（１）タブレット端末１００の発送
企業２０は、テストを実施する学校１０に対し、必要な台数のタブレット端末１００を発送する。例えば、企業２０は、タブレット端末１００を学校１０に貸与する。このとき、企業２０は、タブレット端末１００とともに、タブレット端末１００の利用マニュアルを学校１０に発送してもよい。
【００２１】
（２）テストの実施
受検者は、企業２０から発送されたタブレット端末１００を用いて、学校１０内又は任意の場所でスピーキングを含む英語検定試験（以下、単にテストともいう）を受検する。このとき、受検者は、タブレット端末１００に自身の識別情報を入力する。受検者の識別情報は、例えば学校コード、日時、学年、クラス、出席番号、カナ氏名、生年月日とする。なお、識別情報は、受検者に一意に割り当てられた受験番号などでもよい。
【００２２】
また、受検者は、タブレット端末１００を用いてテストの解答を入力する。例えば、受検者は、タブレット端末１００に表示される問題に対し、タブレット端末１００に向かって音声を発して解答することで、タブレット端末１００に解答データ（例えば解答音声）が入力される。タブレット端末１００は、この解答データと、受検者の識別情報とを関連付けて記憶する。
【００２３】
なお、このタブレット端末１００は、使い回すことができ、例えば１時間目は、クラス１でテストを実施し、２時間目は、同じタブレット端末１００を用いてクラス２でテストを実施することができる。
【００２４】
このとき、タブレット端末１００には、複数の受検者の解答データが、各受検者の識別情報に関連付けて記憶される。
【００２５】
（３）タブレット端末の返却（回収）
学校１０でテストの実施が終了した場合、学校１０側は、発送されたタブレット端末１００を企業２０に返却し、企業２０は、発送したタブレット端末１００を回収する。
【００２６】
（４）採点システムに登録
企業２０は、回収したタブレット端末１００を採点システム３０のサーバ２００に登録する。例えば、Ｗｉ-Ｆｉ（登録商標）を用いて、タブレット端末１００に記憶された解答データと、受検者の識別情報とがサーバ２００に送信される。ここで、Ｗｉ−Ｆｉ（登録商標）などの無線回線は、予め登録されたデータ回線（専用のデータ回線）を用いることが好ましい。
【００２７】
このとき、サーバ２００は、学校毎にフォルダを自動生成し、フォルダを階層化して、解答データを記憶するようにする。例えば、サーバ２００は、学校、学年、クラス、生徒の順に下位フォルダを生成し、最下位の生徒フォルダに解答データを保存するようにしてもよい。
【００２８】
（５）採点
採点者４０は、サーバ２００に記憶されている解答データにアクセスし、ブラウザなどを用いて採点画面を情報処理装置３００に表示させる。採点者４０は、採点システム３０上での採点画面から解答データの採点を行う。採点者４０は、例えば海外拠点にいるネイティブの人でもよい。
【００２９】
このとき、採点者４０は、解答データに対して採点データ（スコア）を与える。これにより、採点データは、採点システム３０上にアップロードされ、サーバ２００は、採点データを取得し、記憶する。
【００３０】
（６）スコアレポート作成
企業２０の担当者又は委託者の指示により、採点システム３０又は企業２０内の情報処理装置（不図示）は、採点システム３０上に記憶された採点データをもとに、スコアレポートを作成する。スコアレポートには、受検者の識別情報や受検者の全受検者に対する順位、全受検者の平均点、過去のテストとの比較、今後の勉強方針などが記載される。
【００３１】
（７）スコアレポートの発送
企業２０の担当者又は委託者の指示により、採点システム３０又は企業２０内の情報処理装置は、作成したスコアレポートを学校１０の情報処理装置に送信する。学校１０の情報処理装置は、受信したスコアレポートをディスプレイ上に表示する。例えばこれを先生が検討することで、学校１０としての教育方針や、先生個人の教え方などを考えたり、改めたりすることができる。また、生徒は、スコアデータを見ることで、点数が伸びたりしていれば、モチベーションアップにつなげることができる。なお、スコアレポートは、印刷業者により印刷されたものが学校１０に発送されてもよい。
【００３２】
＜テスト支援システムの構成＞
次に、第１実施形態におけるテスト支援システム１の構成について説明する。図２は、第１実施形態におけるテスト支援システム１の構成の一例を示すブロック図である。図２に示す例では、テスト支援システム１は、タブレット端末１００と、サーバ２００と、情報処理装置３００とを有する。
【００３３】
タブレット端末１００は、テストの受検者に１台ずつ配布される。タブレット端末１００には、テストを実行するアプリケーションが予めインストールされている。受検者は、所定の時間になったり、試験官又は先生の合図があったりした後に、テストのアプリケーションを実行することでテストを受けることができる。なお、受検者は、テストを受ける際、受検者の識別情報を先に入力し、合図を待って一斉にテストをスタートしてもよい。
【００３４】
タブレット端末１００は、受検者によりテストの開始が指示されると、テストの問題を表示したり、又は音声で問題を出力したりする。受検者は、テストの問題に対し、タブレット端末１００の操作画面を用いて解答を入力したり、タブレット端末１００に向かって解答となる音声を発したりする。
【００３５】
また、タブレット端末１００は、受検者から入力された解答を解答データとして、受検者の識別情報とともに自端末の記憶部に記憶する。解答は、例えばスピーキング問題に対する音声であり、解答データは、例えば音声データである。また、テストの問題は、複数あってもよい。この場合、問題ごとに音声データがタブレット端末１００に記憶（録音）される。
【００３６】
サーバ２００は、回収又は返却されたタブレット端末１００から受検者の識別情報及び解答データを受信し、自装置の記憶部に記憶する。例えば、管理者がタブレット端末１００にログインし、データ送信可のスイッチなどをＯＮにすると、無線通信、例えばＷｉ−Ｆｉ（登録商標）などを用いることで、サーバ２００は、受検者の識別情報及び解答データを受信する。また、無線通信は、有線のネットワークなどによる通信や、本システム専用のデータ回線を用いる無線通信などでもよい。
【００３７】
また、サーバ２００は、データを受信すると、自動でフォルダ生成を行い、音声データを効率良く管理する。例えば、サーバ２００は、フォルダの階層構造を用いて、音声データを管理する。フォルダの階層構造は、受検者の識別情報に含まれる複数の情報を用いて生成される。
【００３８】
具体的には、サーバ２００は、受検者の識別情報に含まれる情報の順番に、フォルダを階層化していく。例えば、サーバ２００は、学校フォルダを最上位とし、日時フォルダ、学年フォルダ、クラスフォルダ、生徒フォルダの順にフォルダを階層化し、最下位となる生徒フォルダに解答の音声データを含めるようにする。このとき、音声データが含まれるファイル名がＩＤに変換され、このＩＤが音声データに付与されてもよい。このＩＤは、採点時の音声データの識別情報に用いられてもよい。
【００３９】
次に、情報処理装置３００は、ウェブブラウザを用いてサーバ２００に記憶されている音声データを採点する採点画面を表示し、採点者４０による採点結果の採点データを取得する。情報処理装置３００は、採点者４０により使用される装置である。また、情報処理装置３００は、海外に設置された装置であってもよい。
【００４０】
例えば、採点者４０は、海外にいるネイティブの人であり、複数の採点者４０が自身に割り当てられた音声データの採点を、情報処理装置３００を用いて行う。なお、企業２０側は、採点者４０に対し、採点基準の詳細データを送付しておく。
【００４１】
採点者４０の情報処理装置３００は、採点画面から採点の対象となる１又は複数の音声データを出力し、採点基準の詳細データを参照した採点者４０により採点が行われる。また、同じ音声データに対して、複数の採点者４０が採点を行って、採点者４０の違いによる採点結果のばらつきが小さくなるようにしてもよい。
【００４２】
採点者４０の情報処理装置３００は、採点結果の採点データを、採点者４０の指示によりサーバ２００にアップロードする。これにより、サーバ２００は、採点データを取得する。
【００４３】
次に、企業２０の担当者又は委託者の指示により、担当者又は委託者の情報処理装置（不図示）は、サーバ２００から採点データを取得し、成績処理を行う。成績処理は、例えばＩＲＴ（Item Response Theory：項目応答理論）に基づいて行われてもよい。また、成績処理は、個人集計、校内集計、全国集計などを含む総合的な成績処理が行われる。
【００４４】
企業２０の担当者又は委託者の指示により、担当者又は委託者の情報処理装置は、成績処理が行われた成績に基づくスコアレポートを学校１０に発送する手配をしたり、または電子的なスコアレポートを送信したりする。また、企業２０の担当者又は委託者の指示により、担当者又は委託者の情報処理装置は、このスコアレポートに加えて、クラス全体の成績の分析を行った先生用のレポートを学校１０に発送するよう手配したり、送信したりしてもよい。
【００４５】
＜ハードウェア構成＞
次に、テスト支援システム１における各装置のハードウェア構成について説明する。図３は、タブレット端末１００のハードウェア構成の一例を示すブロック図である。図３に示すタブレット端末１００は、例えば、ＣＰＵ（Central Processing Unit）１０２と、メインメモリ１０４と、ＢＩＯＳ−ＲＯＭ１０６と、記憶部１０８と、オーディオ出力部１１０と、表示部１１２と、通信インタフェース１１４と、入力部１１６と、これらを接続するシステムバス１１８とを有する。
【００４６】
ＣＰＵ１０２は、例えば、メインメモリ１０４上に展開されたテストプログラムを実行し、タブレット端末１００に各種の機能を実現させる。言い換えれば、タブレット端末１００は、ＣＰＵ１０２の制御の下、テストプログラムを実行することによりテストを実現する。ＢＩＯＳ−ＲＯＭ１０６は、タブレット端末１００のハードウェア管理、制御をするプログラムを記憶する。
【００４７】
記憶部１０８は、プログラムや各種データを格納する。オーディオ出力部１１０は、ＣＰＵ１０２の制御の下で処理された各種のサウンドを出力する。表示部１１２は、例えばディスプレイであり、ＣＰＵ１０２の制御の下で処理された各種の画像を表示する。通信インタフェース１１４は、サーバ２００や他の装置との通信を可能にするインタフェースである。入力部１１６は、例えばユーザ操作を入力するタッチパネルや、音声を入力するマイクである。また、入力部１１６は、タブレット端末１００に接続されたキーボードやマイクなどからユーザ操作や音声を入力してもよい。
【００４８】
次に、採点システム３０のサーバ２００のハードウェア構成について説明する。図４は、サーバ２００のハードウェア構成の一例を示すブロック図である。図４に示すサーバ２００は、例えば、ＣＰＵ２０２と、メインメモリ２０４と、ＢＩＯＳ−ＲＯＭ２０６と、記憶部２０８と、通信インタフェース２１０と、これらを接続するシステムバス２１２とを有する。
【００４９】
ＣＰＵ２０２、メインメモリ２０４、ＢＩＯＳ−ＲＯＭ２０６、記憶部２０８、通信インタフェース２１０の機能は、それぞれ図３に示すＣＰＵ１０２、メインメモリ１０４、ＢＩＯＳ−ＲＯＭ１０６、記憶部１０８、通信インタフェース１１４の機能と同様である。
【００５０】
次に、採点者４０が用いる情報処理装置３００のハードウェア構成について説明する。図５は、情報処理装置３００のハードウェア構成の一例を示すブロック図である。図５に示す情報処理装置３００は、例えば、ＣＰＵ３０２と、メインメモリ３０４と、ＢＩＯＳ−ＲＯＭ３０６と、記憶部３０８と、オーディオ出力部３１０と、表示部３１２と、通信インタフェース３１４と、入力部３１６と、これらを接続するシステムバス３１８とを有する。図５に示す入力部３１６は、キーボードなどの入力装置である。入力部３１６以外の各部は、図３に示す、対応する各部と同じ機能を有する。
【００５１】
＜機能構成＞
次に、テスト支援システム１における各機能構成について説明する。まず、タブレット端末１００の機能構成について説明する。
【００５２】
図６は、タブレット端末１００の機能構成の一例を示すブロック図である。図６に示すタブレット端末１００は、例えば、テスト実行手段４０２と、表示手段４０４と、入力手段４０６と、記憶手段４０８と、送信手段４１０と、を有する。タブレット端末１００は、テストプログラムＴＰを実行することで、所定のテスト、例えば英語のスピーキングテストを行うための各機能を有する。
【００５３】
テスト実行手段４０２は、例えばＣＰＵ１０２やメインメモリ１０４、テストプログラムＴＰ等により実現されうる。テスト実行手段４０２は、テストプログラムＴＰが実行されることで、テストのアプリケーションを実行し、タブレット端末１００の表示手段４０４にテスト画面を表示する。
【００５４】
テスト実行手段４０２は、まず、表示手段４０４を用いて受検者に所定事項を入力させる。所定事項は、学校コード、日時、学年、クラス、出席番号、氏名、生年月日などである。次に、テスト実行手段４０２は、テストを実行し、問題を表示手段４０４に出力する。なお、テスト実行手段４０２は、ネットワークから切断されたオフライン状態でも、テストを実行することができる。これにより、場所を問わずにタブレット端末１００さえあれば、テストを実施することができる。
【００５５】
テスト実行手段４０２は、テストのアプリケーションの実行中に、入力手段４０６（例えばマイク）から入力された受検者の音声の音量が、採点に適した音量であるか否かを、受検者に対して認識させる機能を有する。この機能は、例えば音量を示すインジケータをテストの実行画面に合わせて表示させることで実現するが、詳細は図７を用いて後述する。
【００５６】
表示手段４０４は、例えば表示部１１２やＣＰＵ１０２、メインメモリ１０４、テストプログラムＴＰ等により実現されうる。表示手段４０４は、例えばディスプレイであり、テストの実行画面を表示する。例えば、表示手段４０４は、受検者の識別情報の入力画面を表示したり、テスト問題画面などを表示したりする。また、表示手段４０４は、音声の入力を行うテストのアプリケーションを実行する画面を表示中（アプリケーションの実行中）に、受検者の音声の音量を示すインジケータを表示する。
【００５７】
入力手段４０６は、例えば入力部１１６やＣＰＵ１０２、メインメモリ１０４、テストプログラムＴＰ等により実現されうる。入力手段４０６は、例えばマイクであり、受検者により入力された、受検者の識別情報及びテストの解答データを入力する。例えば、入力手段４０６は、タッチパネルなどを用いての受検者の操作を入力したり、マイクを用いての受検者の音声を入力したりする。
【００５８】
記憶手段４０８は、例えばＣＰＵ１０２やメインメモリ１０４、記憶部１０８、テストプログラムＴＰ等により実現されうる。記憶手段４０８は、入力手段４０６から取得した識別情報及び解答データを関連付けて記憶する。なお、記憶手段４０８は、複数の受検者の解答データを、各受検者の識別情報に関連付けて記憶することができる。
【００５９】
送信手段４１０は、例えば通信インタフェース１１４やＣＰＵ１０２、メインメモリ１０４、テストプログラムＴＰ等により実現されうる。タブレット端末１００が企業２０側に回収された後、送信手段４１０は、記憶手段４０８に記憶された識別情報及び解答データを、ネットワークを介してサーバ２００に送信する。このとき、送信手段４１０は、専用のデータ回線を用いてデータをサーバ２００に送信するようにしてもよい。これにより、解答データが改ざんされたり、盗聴されたりすることを防止することができる。
【００６０】
また、送信手段４１０は、記憶手段４０８に複数の受検者の解答データが記憶されている場合は、これら複数の識別情報及び解答データをまとめてサーバ２００に送信することもできる。
【００６１】
以上より、タブレット端末１００は、企業２０から学校１０に配布された後に、テストを実行して受検者の識別情報及び解答データを記憶し、企業２０に回収された後に、サーバ２００に識別情報及び解答データを送信する機能を有する。また、学校１０側としては、テストを実行するタブレット端末１００が企業２０から配布されるため、テストに応じた設備を準備する必要がない。
【００６２】
図７は、テスト実行手段４０２の機能構成の一例を示すブロック図である。図７に示すテスト実行手段４０２は、解析手段４２２と、インジケータ制御手段４２４と、表示制御手段４２６と、を有する。
【００６３】
解析手段４２２は、入力手段４０６から入力された解答データとなる音声データを入力し、音声データの音量を解析する。解析手段４２２は、入力手段４０６から入力される音声データをリアルタイムで処理し、音声の音量を取得する。本明細書において、リアルタイムとは、受検者がテストの問題に解答している最中をいう。例えば、解析手段４２２は、音声の入力を検知した時点で、音量の解析処理を開始してもよい。
【００６４】
インジケータ制御手段４２４は、音量を示すインジケータを制御する。インジケータ制御手段４２４は、解析手段４２２から取得した音量が所定値（第１所定値）以上か否かを判定する。所定値は、予め実験などにより適切な値が設定されていればよい。また、インジケータ制御手段４２４は、解析された音量を取得した時点で、インジケータ制御処理を開始してもよい。
【００６５】
インジケータ制御手段４２４は、判定結果に基づいて、インジケータの表示形態を変更する。例えば、インジケータ制御手段４２４は、インジケータが音量に応じて伸縮する形状（例えば棒状物や円など）である場合、音量が所定値以上か否かにより、この形状の色を変更してもよい。また、インジケータ制御手段４２４は、所定値となる境界線をインジケータに表示するようにしてもよい。
【００６６】
表示制御手段４２６は、音量が所定値未満となる時間が所定時間より長い場合、又は音量が所定値未満となる問題が閾値より多い場合、受検者に対して音量を大きくするよう促すための表示物を表示手段４０４に表示させるよう制御する。
【００６７】
例えば、表示制御手段４２６は、音量が所定値未満となる時間が５秒より長くなった場合、もっと声を大きくするよう注意喚起するためのポップアップなどを表示手段４０４に表示させるよう制御する。他の例では、表示制御手段４２６は、音量が所定値未満となる問題が２問続いた場合、上述したポップアップなどを次の問題画面が表示されているときに表示手段４０４に表示させるよう制御する。この場合の音量は、問題ごとの平均の音量を用いればよい。
【００６８】
また、表示制御手段４２６は、所定時間を０とし、音量が所定値未満になった場合に、声を大きくするような注意喚起を行ってもよい。このとき、音量が所定値以上になった場合には、上述した注意喚起は行われなくなる。また、注意喚起の方法としては、ポップアップなどの表示に限らず、バイブレーションや音声で注意喚起が行われてもよい。
【００６９】
また、表示制御手段４２６が注意喚起を行うタイミングとしては、音声を入力させるテストの実行画面（問題画面）が表示されているときや、問題と問題との間や、次の問題が表示されるときや、受検者によるスピーキングの直前などでもよい。
【００７０】
なお、表示制御手段４２６は、音量が所定値（第２所定値）以上の場合、タブレット端末１００が口からもう少し離されたり、声がもう少し小さくなったりするような注意喚起を行ってもよい。なお、第２所定値は、第１所定値よりも大きい。
【００７１】
以上より、テスト実行手段４０２は、例えばテストの実行画面内に表示された、音量を示すインジケータの表示形態を変更する機能を有する。これにより、テストのアプリケーションの実行中に、入力された音声データの音量が、採点に適した音量であるか否かを受検者に認識させることができる。例えば、テスト実行手段４０２は、インジケータの色を変更することで、音量が適切か否かを一目で受検者に把握させることができる。
【００７２】
また、テスト実行手段４０２は、テストのアプリケーションの実行中に音声処理を行うことで、受検者に対してリアルタイムで自身が発声した音声の音量を認識させることができる。
【００７３】
また、テスト実行手段４０２は、音声が小さい受検者に対して、タブレット端末１００を口に近づけるか、又は声を大きくするかの注意喚起を行うことができる。
【００７４】
次に、テスト支援システム１におけるサーバ２００の機能構成について説明する。図８は、サーバ２００の機能構成の一例を示すブロック図である。図８に示すサーバ２００は、例えば、受信手段５０２と、第１記憶手段５０４と、送信手段５０６と、第２記憶手段５０８と、を有する。
【００７５】
受信手段５０２は、例えば通信インタフェース２１０やＣＰＵ２０２、メインメモリ２０４等により実現されうる。受信手段５０２は、回収されたタブレット端末１００から送信された受検者の識別情報及び解答データを受信する。なお、受信手段５０２は、複数の識別情報及び解答データを、タブレット端末１００からまとめて受信するようにしてもよい。また、受信手段５０２は、採点者４０が用いる情報処理装置３００から採点データを受信する。識別情報及び解答データは、第１記憶手段５０４に記憶され、採点データは第２記憶手段５０８に記憶される。
【００７６】
第１記憶手段５０４は、例えばＣＰＵ２０２やメインメモリ２０４、記憶部２０８等により実現されうる。第１記憶手段５０４は、受信された受検者の識別情報及び解答データを記憶する。第１記憶手段５０４は、識別情報を用いて階層的に解答データを記憶することで、解答データの管理を容易にすることができる。
【００７７】
送信手段５０６は、例えば通信インタフェース２１０やＣＰＵ２０２、メインメモリ２０４等により実現されうる。送信手段５０６は、採点者４０が使用する情報処理装置３００から解答データへのアクセスがあったときに、所定数の解答データを、受検者を識別するＩＤとともに情報処理装置３００に送信する。
【００７８】
第２記憶手段５０８は、例えばＣＰＵ２０２やメインメモリ２０４、記憶部２０８等により実現されうる。第２記憶手段５０８は、受信されたＩＤと採点データを記憶する。なお、第１記憶手段５０４及び第２記憶手段５０８は、必ずしも別の記憶部である必要はなく、同じ記憶部であってもよい。
【００７９】
以上より、サーバ２００は、回収されたタブレット端末１００から受検者の識別情報及び解答データを受信して記憶し、情報処理装置３００からアクセスされると解答データを送信し、情報処理装置３００から採点データを受信して記憶する機能を有する。
【００８０】
次に、テスト支援システム１における情報処理装置３００の機能構成について説明する。図９は、情報処理装置３００の機能構成の一例を示すブロック図である。図９に示す情報処理装置３００は、受信手段６０２と、表示手段６０４と、採点手段６０６と、送信手段６０８と、を有する。
【００８１】
情報処理装置３００は、採点プログラムＳＰを実行することで、解答データに対する採点を行うための各機能を有する。なお、採点者４０は、企業２０側が作成した採点プログラムＳＰを情報処理装置３００にダウンロードし、インストールしておく。
【００８２】
受信手段６０２は、例えば通信インタフェース３１４やＣＰＵ３０２、メインメモリ３０４、採点プログラムＳＰ等により実現されうる。受信手段６０２は、例えばＩＤ付きの解答データをサーバ２００から受信する。
【００８３】
表示手段６０４は、例えば表示部３１２やＣＰＵ３０２、メインメモリ３０４、採点プログラムＳＰ等により実現されうる。表示手段６０４は、取得された解答データを採点する採点画面を、ウェブブラウザを用いて表示部３１２に表示する。
【００８４】
採点手段６０６は、例えば表示部３１２やＣＰＵ３０２、メインメモリ３０４、採点プログラムＳＰ等により実現されうる。採点手段６０６は、採点画面を用いて採点者４０から入力された採点データを取得する。採点手段６０６は、例えば、１つの解答データに対して１０点満点や１００点満点で採点された点数を取得する。
【００８５】
送信手段６０８は、例えば通信インタフェース３１４やＣＰＵ３０２、メインメモリ３０４、採点プログラムＳＰ等により実現されうる。送信手段６０８は、採点された採点データをＩＤ付きでサーバ２００に送信する。
【００８６】
以上より、情報処理装置３００は、サーバ２００にアクセスして解答データを取得し、この解答データに対する採点データを取得し、この採点データをサーバ２００に送信する機能を有する。
【００８７】
サーバ２００に記憶された採点データは、例えば企業２０の情報処理装置（不図示）などを用いて成績処理が行われる。例えば、全国で共通して実施されるテストであった場合、企業２０側は、個人集計の他にも、校内集計、全国集計を行い、成績集計結果データのスコアレポートを作成する。企業２０側は、作成したスコアレポートを、テストを実施した各学校１０に配送する。また、個人集計には、過去のテスト結果や過去のテスト結果と今回のテスト結果との比較なども含まれる。企業２０は、成績処理を外部業者に委託してもよい。企業２０は、スコアレポートを印刷業者に印刷させて、印刷業者から各学校１０にスコアレポートを配送させてもよい。
【００８８】
これにより、スコアレポートを受け取った受検者は、自分の弱点を知ることができ、次回のテストで良い結果を得られるように努力することが考えられる。よって、スコアレポートの配布が、受検者のモチベーションを向上させることができる。
【００８９】
また、企業２０は、先生用に成績を分析処理し、先生用のレポートを各学校１０に配送又は送信してもよい。例えば、クラス全体の弱点などを先生が把握することができ、先生用のレポートの配布を今後の指導に活かすことができる。
【００９０】
＜データ例＞
次に、テスト支援システム１で用いるデータ例について説明する。図１０は、タブレット端末１００で記憶される識別情報及び解答データの一例を示す図である。図１０に示すように、タブレット端末１００は、テストが終わると、学校コード、日時、学年、クラス、出席番号、氏名、生年月日、解答データを関連付けて記憶する。
【００９１】
ここで、学校コード、日時、学年、クラス、出席番号、氏名、生年月日は、受検者を識別するための識別情報であり、解答データに関連付けて記憶される。なお、受検者の識別情報は、例えばテキストデータであり、解答データは、例えば４４１００Ｈｚ、１６ｂｉｔ、ＷＡＶ形式の音声データである。なお、テスト問題が複数の問題毎に分かれている場合は、各Ｐａｒｔで独立して解答データが記憶される。
【００９２】
タブレット端末１００は、例えば、上記の各データをＡＥＳ（Advanced Encryption Standard）形式で暗号化したＺｉｐファイルなどにより記憶する。
【００９３】
図１１、サーバ２００で記憶される識別情報及び解答データの一例を示す図である。サーバ２００は、階層構造を用いて解答データの管理を容易にする。図１１に示す例では、サーバ２００は、学校、日時、学年、クラス、生徒の順に下位になるようにフォルダを生成し、生徒フォルダに、その生徒の解答データを記憶するようにする。これにより、学校毎の集計や、クラス毎の集計などを容易に行うことできるようになる。
【００９４】
＜画面例＞
次に、テスト支援システム１の画面例について説明する。図１２は、タブレット端末１００の電源起動時の画面の一例を示す図である。図１２に示すように画面７０２には２つのテストアイコン７０４Ａ、７０４Ｂがインストールされている例である。なお、インストールされているテストのアプリケーションは１つでもよいし、３つ以上の複数でもよい。受検者は、図１２に示すようなテストアイコン７０４Ａ、７０４Ｂのいずれかをクリック又はダブルクリックすることで、テストを受けることができる。
【００９５】
図１３は、学校コードの選択画面の一例を示す図である。図１３に示す画面８０２は、学校コードを、５桁の数字を受検者に選択させる画面である。タブレット端末１００は、図１３に示すような画面を用いて、受検者の他の識別情報を選択又は入力させる。
【００９６】
図１４は、スピーキングテストの開始画面の一例を示す図である。図１４に示す画面９０２は、スピーキングテストの概要が表示され、この例では、４つのＰａｒｔから問題が構成される。例えば、受検者は、受検者の識別情報の入力が全て終わると、図１４に示すスピーキングテストの開始画面が表示される。このとき、受検者は、図１４に示す画面を表示したまま待ち、試験官又は先生の合図によりスタートボタン９０４をタッチ（クリック）することで、テストを受けることができるようになる。
【００９７】
図１５は、テストにおけるＰａｒｔＡの画面（その１）の一例を示す図である。図１５に示す画面１００２は、ＰａｒｔＡの第１問（Ｑ１）のＢのセンテンスを受検者が読み上げる問題を表示する画面である。タブレット端末１００は、受検者が読み上げた音声をマイクから入力し、自端末の記憶部に音声データを記憶する。タブレット端末１００は、各ＰａｒｔＡ〜Ｄで入力した音声データをそれぞれ独立して記憶する。このとき、各Ｐａｒｔの音声データは、受検者の識別情報と関連付けて記憶される。
【００９８】
図１６は、テストにおけるＰａｒｔＡの画面（その２）の一例を示す図である。図１６に示す画面１１０２は、受検者が音声を発し、タブレット端末１００が音声データを入力している画面である。
【００９９】
図１６に示す第１インジケータ１１０４は、準備時間を示すインジケータである。図１５に示すように、第１インジケータ１１０４は、残りの準備時間に応じてバーの長さが短くなる。なお、図１６に示す第１インジケータ１１０４は、解答の録音中であるので、準備時間が０になっていることを表す。
【０１００】
図１６に示す第２インジケータ１１０６は、解答時間である録音時間を示すインジケータである。図１６に示すように、第２インジケータ１１０６は、残りの録音時間に応じてバーの長さが短くなる。
【０１０１】
図１６に示す第３インジケータ１１０８は、録音されている音声データの音量を示すインジケータである。図１６に示す第３インジケータ１１０８Ａは、第１の表示形態で表示される。第１の表示形態とは、例えばインジケータのバー（棒状物）を黄色で表示することである。バーは、図１６に示すように、所定区分に分割されていてもよい。また、第３インジケータ１１０８Ａが、第１の表示形態で表示される場合は、入力された音声データの音量が所定値よりも小さいことを表す。
【０１０２】
なお、図１５に示す画面１００２は、問題が表示され、準備時間中を示す画面であり、図１６に示す画面１１０２は、解答となる音声データの録音（入力）中を示す画面である。
【０１０３】
図１７は、テストにおけるＰａｒｔＢの画面（その１）の一例を示す図である。図１７に示す画面１２０２は、ＰａｒｔＢの第３問（Ｑ３）を表示する画面である。図１７に示す第２インジケータ１１０６は、録音時間が残り１４秒であることを示す。図１７に示す第３インジケータ１１０８Ａは、入力された音声データの音量が所定値よりも小さいことを表す第１の表示形態で表示される。
【０１０４】
図１８は、テストにおけるＰａｒｔＢの画面（その２）の一例を示す図である。図１８に示す第２インジケータ１１０６は、録音時間が残り８秒であることを示す。図１８に示す第３インジケータ１１０８Ｂは、入力された音声データの音量が所定値よりも大きいことを表す第２の表示形態で表示される。
【０１０５】
第２の表示形態では、第１の表示形態とは異なる表示が行われる。例えば、第２の表示形態では、バーの色が黄色ではなく、青色で表示される。また、表示形態の変更は、色だけでなく、例えばバーの形状を変えたり、大きさを変えたりしてもよい。
【０１０６】
図１９は、テストにおけるＰａｒｔＢの画面（その３）の一例を示す図である。図１９に示す画面１２０２では、受検者に対し、入力される音声データの音量が大きくなるよう注意喚起する表示物が表示される。
【０１０７】
表示制御手段４２６は、入力される音声データの音量が所定値未満の時間が所定時間以上続く場合に、表示物１２０４が画面に表示されるよう制御する。表示物１２０４には、「本体を口に近づけてください。」又は「もう少し大きな声でしゃべってください。」の文字が記載されている。
【０１０８】
この表示物１２０４を見た受検者は、携帯型情報処理端末１００を口に近づけたり、もう少し大きな声で解答を発声したりするようになるので、入力される音声データの音量が大きくなることを期待することができる。
【０１０９】
また、表示制御手段４２６は、録音された音声データの音量が所定値よりも小さい問題が所定数よりも多い場合には、次の問題の最初に表示物１２０４が画面に表示されるように制御してもよい。また、表示物１２０４は、声を大きくするよう注意喚起できればよいので、文字ではなくイラストなどが表示されてもよい。
【０１１０】
＜動作＞
次に、第１実施形態におけるテスト支援システム１の動作について説明する。図２０は、第１実施形態におけるテスト支援システム１の処理の一例を示すフローチャートである。図２０に示すステップＳ１０２で、企業２０は、テストを申し込んだ各学校に、必要な数の携帯型情報処理端末（例えばタブレット端末）１００を、テスト実施日までに配送する。
【０１１１】
ステップＳ１０４で、テスト当日に、受検者は、携帯型情報処理端末１００を操作して、受検者の識別情報を入力する。
【０１１２】
ステップＳ１０６で、受検者は、携帯型情報処理端末１００を用いてテストを受検し、解答データを携帯型情報処理端末１００に入力する。入力された解答データは、受検者の識別情報に関連付けて携帯型情報処理端末１００に記憶される。スピーキングのテストにおける音声データの入力に関する処理は、図２１を用いて後述する。
【０１１３】
ステップＳ１０８で、学校１０側は、全受検者に対するテストの実施が終了すると、配布された全ての携帯型情報処理端末１００を企業２０に返却する。つまり、企業２０は、各学校に配布した携帯型情報処理端末１００を回収する。
【０１１４】
ステップＳ１１０で、回収された携帯型情報処理端末１００は、受検者の識別情報及び解答データを、サーバ２００に送信する。例えば、データ回線としては、専用の無線回線を用いてもよい。
【０１１５】
ステップＳ１１２で、サーバ２００は、回収された携帯型情報処理端末１００から受信した受検者の識別情報及び解答データを記憶する。このとき、サーバ２００は、フォルダの階層構造を用いて解答データを管理しやすくしてもよい。
【０１１６】
ステップＳ１１４で、情報処理装置３００は、サーバ２００に記憶されている解答データにアクセスし、ウェブブラウザを用いてこの解答データを取得し、採点画面を表示する。採点者４０の情報処理装置３００は、採点画面を表示し、採点者４０の入力に基づき解答データの採点が行われる。情報処理装置３００は、採点者４０による採点結果の採点データを取得する。
【０１１７】
ステップＳ１１６で、企業２０の情報処理装置は、採点データに基づいて成績処理を行い、成績処理の結果を含むスコアレポートを、テストを実施した各学校１０に送付するよう指示したり又は送信したりする。
【０１１８】
次に、スピーキング問題における音声データの入力処理について説明する。図２１は、音声データの入力処理の一例を示すフローチャートである。図２１に示す処理は、１問における音声データの入力処理を表す。
【０１１９】
図２１に示すステップＳ２０２で、入力手段４０６は、受検者が発生した音声データを入力する。音声データの入力はマイクなどが用いられる。
【０１２０】
ステップＳ２０４で、解析手段４２２は、入力された音声データを解析し、音声データの音量を取得する。
【０１２１】
ステップＳ２０６で、インジケータ制御手段４２４は、音声データの音量が所定値以上か否かを判定する。音声データの音量が所定値以上であれば（ステップＳ２０６−ＹＥＳ）、次にステップＳ２０８が処理され、音声データの音量が所定値未満であれば（ステップＳ２０６−ＮＯ）、次にステップＳ２１０が処理される。
【０１２２】
ステップＳ２０８で、インジケータ制御手段４２４は、第３インジケータの表示形態を第１の表示形態から第２の表示形態に変更する。なお、第３インジケータは、デフォルトでは第１の表示形態で表示されるようにしておくとよい。
【０１２３】
ステップＳ２１０で、表示手段４０４は、インジケータを含む画面を表示する。画面には、問題と、第１インジケータと、第２インジケータと、第３インジケータとが表示される。
【０１２４】
ステップＳ２１２で、テスト実行手段４０２は、音声データが終了したかを判定する。音声データが終了すれば（ステップＳ２１２−ＹＥＳ）、処理が終了し、音声データが終了していなければ（ステップＳ２１２−ＮＯ）、次にステップＳ２０２が処理される。
【０１２５】
以上の処理により、携帯型情報処理端末１００は、全ての問題における音声データを入力し、自装置の記憶部に全ての音声データを記憶することができる。
【０１２６】
以上、第１実施形態によれば、テストのアプリケーションの実行中に、入力された音声データの音量が、採点に適した音量であるか否かを受検者に認識させることができる。また、第１実施形態によれば、受検者の音声データをリアルタイムで処理すれば、音声の音量をリアルタイムでフィードバックすることができる。また、第１実施形態によれば、受検者に対して、採点に適した音量で発声するように促すことができる。
【０１２７】
また、第１実施形態によれば、任意の受検会場において、受検設備を受検会場側で準備しなくても、受検者にテストを受けてもらうことができるテスト支援方法及びテスト支援システムを提供することができる。すなわち、テストのアプリケーションがインストールされた携帯型情報処理端末１００さえあればテストを実行することができ、テストの解答データは携帯型情報処理端末１００自体に記憶されるため、テストの実行中にネットワークに接続する必要がない。
【０１２８】
また、携帯型情報処理端末１００は、使い回すことができるため、１台の携帯型情報処理端末１００に複数の受検者の解答データを記憶することができる。この場合、回収された携帯型情報処理端末１００から、複数の解答データをまとめてサーバ２００に送信することができる。
【０１２９】
また、第１実施形態のテストは、認定された場所でしか受検することができなかった外部検定試験のテストにも適用することができる。
【０１３０】
［変形例］
以上、本発明の第１実施形態について説明したが、本発明は、上記した実施の形態に限定されるものではない。このため、上記実施形態はあらゆる点で単なる例示にすぎず、限定的に解釈されるものではない。
【０１３１】
例えば、テストは、スピーキングテストだけに限定されるものではなく、受検者が音声を発するその他のテストにも適用することができる。また、複数の受験者が同じ拠点で異なる時刻に受験するテストや、複数の受験者が異なる拠点で受験するテストにも適用することができる。
【０１３２】
なお、第１実施形態で説明したインジケータの表示機能については、携帯型の情報処理端末に適用することが好適であるが、これに限らず、パーソナルコンピュータなどの情報処理装置にも適用することができる。
【符号の説明】
【０１３３】
１  テスト支援システム
１００  携帯型情報処理端末
２００  サーバ
３００  情報処理装置
４０２  テスト実行手段
４０４  表示手段
４０６  入力手段
４０８  記憶手段
４１０  送信手段
４２２  解析手段
４２４  インジケータ制御手段
４２６  表示制御手段
５０２  受信手段
５０４  第１記憶手段
５０６  送信手段
５０８  第２記憶手段
６０２  受信手段
６０４  表示手段
６０６  採点手段
６０８  送信手段
【図２】
2015008502.tif 000003
【図３】
2015008502.tif 000004
【図４】
2015008502.tif 000005
【図５】
2015008502.tif 000006
【図６】
2015008502.tif 000007
【図７】
2015008502.tif 000008
【図８】
2015008502.tif 000009
【図９】
2015008502.tif 000010
【図１０】
2015008502.tif 000011
【図１１】
2015008502.tif 000012
【図２０】
2015008502.tif 000013
【図２１】
2015008502.tif 000014
【図１】
2015008502.tif 000015
【図１２】
2015008502.tif 000016
【図１３】
2015008502.tif 000017
【図１４】
2015008502.tif 000018
【図１５】
2015008502.tif 000019
【図１６】
2015008502.tif 000020
【図１７】
2015008502.tif 000021
【図１８】
2015008502.tif 000022
【図１９】
2015008502.tif 000023
【国際調査報告】
2015008502.tif 000024
2015008502.tif 000025
2015008502.tif 000026
2015008502.tif 000027